(57)【要約】【課題】ダンパプレートの軟質シール部材をリテーナの通風路を構成する内周面に弾性的に接触させて通風路を閉塞した後ダンパプレートが元の状態に復帰する際に、軟質シール部材の弾性復帰に起因して異音が発生することを防止することが可能なダンパプレートを提供する。【解決手段】ダンパプレート７の軟質シール部材２１にリテーナ３の通風路２における内周壁に弾性接触される傾斜面２２Ｂを形成し、軟質シール部材２１を傾斜面２２Ｂのみでリテーナ３の通風路２における内周面に弾性接触するように構成する。【選択図】図１５
2017030656.tif 000002
【特許請求の範囲】
【請求項１】
レジスタに付設され、通風路に沿ってレジスタの空気吹出口まで空気を案内するリテーナにて、一対の対向する側壁間に回動可能に配設されるととともにリテーナの通風路を開閉するダンパプレートであって、
前記一対の側壁に対応して両側に回動軸部を有するプレート部材と、
前記回動軸部を除くプレート部の周囲に形成され、前記リテーナの通風路を形成する内周壁に弾性接触する軟質シール部材と、
前記軟質シール部材にて前記空気吹出口側に形成され、前記ダンパプレートによりリテーナの通風路を閉塞する際に、前記リテーナの通風路における内周壁に弾性接触される傾斜面と、
前記傾斜面の近傍で軟質シール部材に形成された薄肉状のくびれ部とを備えたことを特徴とするダンパプレート。
【請求項２】
前記軟質シール部材は、前記プレート部材を硬質材料から一次成形した後、プレート部材に対して軟質材料で軟質シール部材を二次成形する２色成形により形成されていることを特徴とする請求項１に記載のダンパプレート。
【請求項３】
前記傾斜面に隣接して突状部が連続的に形成されていることを特徴とする請求項１又は請求項２に記載のダンパプレート。
【発明の詳細な説明】
【技術分野】
【０００１】
本発明は、レジスタにおけるリテーナの通風路を開閉するダンパプレートに関し、特に、ダンパプレートに設けられ軟質材料から形成されたシール部材をリテーナの通風路を構成する内周面に弾性的に接触させて通風路を閉塞した後ダンパプレートが元の状態に復帰する際に、シール部材の弾性復帰に起因する異音の発生を防止することが可能なダンパプレートに関するものである。
【背景技術】
【０００２】
従来より、自動車等の車両のインスツルメントパネルに配設され、空調された空気を車両室内側に吹き出すレジスタにおいて、空気の吹出及びその停止をコントロールするものとして、レジスタに付設されリテーナの内部に回動可能に配設された各種のダンパプレートが提案されている。
【０００３】
例えば、実用新案登録公報第２５７０８５５号の明細書には、レジスタのリテーナ本体内で回動可能に構成されたエアダンパ構造が記載されており、かかるエアダンパは、プレート部とプレート部の周囲に設けられたダンパシールとから構成されている。
【０００４】
前記レジスタにおいて、エアダンパ構造を使用してリテーナ本体を閉止するには、ダンパ開閉機構によりダンパシールをリテーナ本体の上壁及び下壁に弾性密着させる。これにより、リテーナ本体に連続するレジスタの空気吹出口から空気が漏れることはない。
【先行技術文献】
【特許文献】
【０００５】
【特許文献１】実用新案登録公報第２５７０８５５号
【発明の概要】
【発明が解決しようとする課題】
【０００６】
前記したレジスタにおいて、リテーナの閉止を解除するには、ダンパ開閉機構を逆に作動させてリテーナ本体の上壁及び下壁に対するダンパシールの弾性密着を解除する必要がある。
【０００７】
このとき、ダンパシールは、リテーナ本体の上壁及び下壁に弾性密着されている状態から弾性変形されていない元の状態に復帰されるものであるが、ダンパシールの弾性力が大きい場合には、急激に弾性復帰される。
このように、ダンパシールがその大きい弾性力に起因して急激に弾性復帰すると、その際に異音を発生する虞がある。かかる異音はレジスタにとって望ましいものではなく、可能な限り防止されるべきものである。
本発明は前記従来の問題点を解消するためになされたものであり、ダンパプレートの軟質シール部材をリテーナの通風路を構成する内周面に弾性的に接触させて通風路を閉塞した後ダンパプレートが元の状態に復帰する際に、軟質シール部材の弾性復帰に起因して異音が発生することを防止することが可能なダンパプレートを提供することを目的とする。
【課題を解決するための手段】
【０００８】
前記目的を達成するため請求項１に係るダンパプレートは、レジスタに付設され、通風路に沿ってレジスタの空気吹出口まで空気を案内するリテーナにて、一対の対向する側壁間に回動可能に配設されるととともにリテーナの通風路を開閉するダンパプレートであって、前記一対の側壁に対応して両側に回動軸部を有するプレート部材と、前記回動軸部を除くプレート部の周囲に形成され、前記リテーナの通風路を形成する内周壁に弾性接触する軟質シール部材と、前記軟質シール部材にて前記空気吹出口側に形成され、前記ダンパプレートによりリテーナの通風路を閉塞する際に、前記リテーナの通風路における内周壁に弾性接触される傾斜面と、前記傾斜面の近傍で軟質シール部材に形成された薄肉状のくびれ部とを備えたことを特徴とする。
【０００９】
請求項２に係るダンパプレートは、請求項１のダンパプレートにおいて、前記軟質シール部材は、前記プレート部材を硬質材料から一次成形した後、プレート部材に対して軟質材料で軟質シール部材を二次成形する２色成形により形成されていることを特徴とする。
【００１０】
請求項３に係るダンパプレートは、請求項１又は請求項２のダンパプレートにおいて、前記傾斜面に隣接して突状部が連続的に形成されていることを特徴とする。
【発明の効果】
【００１１】
請求項１に係るダンパプレートでは、リテーナにおける一対の側壁に対応して両側に回動軸部を有するプレート部材、及び、回動軸部を除くプレート部の周囲に形成され、リテーナの通風路を形成する内周壁に弾性接触する軟質シール部材を備え、軟質シール部材にて空気吹出口側に形成され、ダンパプレートによりリテーナの通風路を閉塞する際に、リテーナの通風路における内周壁に弾性接触される傾斜面を有しているので、軟質シール部材は傾斜面のみでリテーナの通風路における内周面に弾性接触するだけである。従って、軟質シール部材とリテーナの内周面との接触面積を少なくすることができ、この結果、軟質シール部材がリテーナの内周面に弾性接触する際に異音が発生することを防止できる。
また、軟質シール部材に形成される傾斜面の近傍で軟質シール部材には薄肉状のくびれ部を備えているので、軟質シール部材がリテーナの内周面との弾性接触状態から元の状態に弾性復帰する際の弾性力を弱くすることができる。これにより、シール部材の弾性復帰時に異音が発生することを確実に防止することができる。
【００１２】
請求項２に係るダンパプレートでは、軟質シール部材は、プレート部材を硬質材料から一次成形した後、プレート部材に対して軟質材料で軟質シール部材を二次成形する２色成形により形成されているので、プレート部材と軟質シール部材とを手動にて組み付ける必要がなくなり、取扱も容易となる。
【００１３】
請求項３に係るダンパプレートは、軟質シール部材において傾斜面に隣接して突状部が連続的に形成されているので、ダンパプレートによりリテーナの通風路を閉塞する際に、所謂風切音を防止することができる。
【図面の簡単な説明】
【００１４】
【図１】本実施形態に係るレジスタの背面斜視図である。
【図２】本実施形態に係るレジスタの背面斜視図である。
【図３】本実施形態に係るレジスタの側面図である。
【図４】本実施形態に係るレジスタの模式平断面図である。
【図５】ダンパプレートの表面側斜視図である。
【図６】レートの裏面側斜視図である。
【図７】ダンパプレートにおけるプレート部材の表面側斜視図である。
【図８】ダンパプレートにおけるプレート部材の裏面側斜視図である。
【図９】ダンパプレートにおける軟質シール部材の表面側斜視図である。
【図１０】ダンパプレートにおける軟質シール部材の裏面側斜視図である。
【図１１】ダンパプレートにおける軟質シール部材のシール部を拡大して示す説明図である。
【図１２】ダンパプレートによりリテーナの通風路を閉塞する際にシール部材の傾斜面がリテーナの内壁面に弾性接触する直前の状態を拡大して示す説明図である。
【図１３】ダンパプレートによりリテーナの通風路を開放した状態を示すレジスタの模式平断面図である。
【図１４】ダンパプレートによりリテーナの通風路を閉塞した状態を示すレジスタの模式平断面図である。
【図１５】ダンパプレートによりリテーナの通風路を閉塞する際にシール部材の傾斜面がリテーナの内壁面に弾性接触している状態を拡大して示す説明図である。
【発明を実施するための形態】
【００１５】
以下、本発明に係るダンパプレートについて、本発明を具体化した実施形態に基づき図面を参照しつつ説明する。
先ず、本実施形態に係るダンパプレートが使用されるレジスタの概略構成について図１乃至図４に基づき説明する。
【００１６】
レジスタ１には、断面長方形状の通風路２を有するリテーナ３が付設されており、かかるリテーナ３において空気は通風路２に沿ってレジスタ１の空気吹出口４（図４参照）まで案内される。
【００１７】
リテーナ３の内部にて、相互に対向する一対の側壁５、６間には、ダンパプレート７が回動可能に配設されている。ダンパプレート７には、側壁５（図１、図２、図４において左側壁）に対応して第１回動軸部８が形成されるとともに、側壁６（図１、図２、図４において右側壁）に対応して第２回動軸部９が形成されている。第１回動軸部８は側壁５にて回動可能に支持され、第２回動軸部９は側壁６にて回動可能に支持されている。
【００１８】
尚、リテーナ３の前部側壁１０には、円弧状の回転ノブ部１１を有するノブ部材１２が軸部１３の回りに回転可能に支持されている。ノブ部材１２にて回転ノブ部１１と反対側には、第１連結部１４が一体に形成されており、かかる第１連結部１４は、リンク部材１５を介して、第１回動軸部８の第２連結部１６に連結されている。
【００１９】
ここに、ノブ部材１２、第１連結部１４、リンク部材１５及び第１回動軸部８の第２連結部１６は、ダンパプレート７の回動機構を構成しており、ダンパプレート７がリテーナ３の通風路２を開放している状態（図１乃至図４に示す状態）からノブ部材１２の回転ノブ部１１を軸部１３の回りに矢印Ａ方向に回動させると、第１連結部１４は矢印Ｂ方向に回動される。また、リンク部材１５は矢印Ｃ方向に移動され、第２連結部１６は矢印Ｄ方向に回動される。この結果、第１回動軸部８は矢印Ｄ方向に回動され、ダンパプレート７も矢印Ｄ方向に回動されてリテーナ３の通風路２を構成する内周壁に当接される。これにより、リテーナ３の通風路２は閉塞される。
【００２０】
続いて、ダンパプレート７の詳細な構成について図５乃至図１１に基づき説明する。
ダンパプレート７は、基本的に、前記した第１回動軸部８及び第２回動軸部９とを一体に形成してなるプレート部材２０、及び、第１回動軸部８と第２回動軸部９とを除くプレート部材２０の周囲に形成され、リテーナ３の通風路２を構成する内周壁に対して弾性接触される軟質シール部材２１とから構成されている。
【００２１】
ここに、ダンパプレート７の軟質シール部材２１は、プレート部材２０を硬質材料（ポリプロピレン等）から一次成形した後、プレート部材２０に対して軟質材料（オレフィン系エラストマー）で軟質シール部材２１を二次成形する２色成形により形成されている。
【００２２】
このように軟質シール部材２１は、プレート部材２０を硬質材料から一次成形した後、プレート部材２０に対して軟質材料で二次成形する２色成形により形成されているので、プレート部材２０と軟質シール部材２１とを手動にて組み付ける必要がなくなり、取扱も容易となる。
【００２３】
具体的に、ダンパプレート７を構成するプレート部材２０は、図７及び図８に示すように、ダンパプレート７の骨格をなす略長方形状を有するプレート部２０Ａを有する。プレート部２０Ａにて相互に対向する短辺側には、第１回動軸部８（リテーナ３の側壁５に回動可能に支持される）及び第２回動軸部９（リテーナ３の側壁６にて回動可能に支持される）が形成されている。また、プレート部２０Ａの表面及び裏面には、円弧状の凹部２０Ｂが形成されている。かかる円弧状の凹部２０Ｂは、プレート部２０Ａ全体の変形を防止し、剛性を確保するために形成される。
【００２４】
更に、プレート部２０Ａの裏面側でその外周側には、図８に示すように、第１アンカー部２０Ｃが形成されており、かかる第１アンカー部２０Ｃには、アンカー孔２０Ｄが連続的に穿設されている。尚、アンカー孔２０Ｄは、図７に示すように、第１アンカー部２０Ｃを貫通して形成されている。アンカー孔２０Ｄの作用については後述する。
【００２５】
前記したプレート部材２０に対して２色成形により一体形成される軟質シール部材２１は、図９、図１０に示すように、その外周形状がプレート部材２０の外周形状に合致する略長方形状に形成される。その外周形状の短辺部側には、第１回動軸部８に合致する円弧状の凹溝２１Ａ及び第２回動軸部９に合致する円弧状の凹溝２１Ｂが形成される。
【００２６】
軟質シール部材２１の内周側には、第２アンカー部２１Ｃが形成されており、かかる第２アンカー部２１Ｃには、前記プレート部２０Ａの第１アンカー部２０Ｃに形成されたアンカー孔２０Ｄに嵌合されるアンカー突起２１Ｄが連続的に形成されている。
【００２７】
ここに、前記したように、軟質シール部材２１は、プレート部材２０を硬質材料から一次成形した後、プレート部材２０に対して軟質材料で二次成形する２色成形により形成されるものであるが、プレート部材２０の一次成形時にプレート部２０Ａのアンカー部２０Ｃに各アンカー孔２０Ｄが形成され、この後軟質シール部材２１の二次形成時にオレフィン系エラストマー等の軟質樹脂材料が各アンカー孔２０Ｄ内に注入されて各アンカー突起２１Ｄが形成される。これにより、プレート部材２０と軟質シール部材２１とは、各アンカー孔２０Ｄと各アンカー突起２１Ｄとの協働により、相互に固定されることとなり外れてしまうことを確実に防止することができる。
【００２８】
軟質シール部材２１において、第２アンカー部２１Ｃの外周に渡ってシール部２１Ｅが形成されている。かかるシール部２１Ｅは、図１１及び図１２にて拡大して示すように、傾斜部２２、傾斜部２２の両側で傾斜部２２に隣接する平面部２３、各平面部２３から内側方向に薄肉状に形成されたくびれ部２４、及び、くびれ部２４に連続形成されてプレート部材２０の端部とオーバーラップされるオーバーラップ部２５から構成されている。
【００２９】
ここに、傾斜部２２には、頂点２２Ａの両側に延びる傾斜面２２Ｂ、２２Ｂが設けられており、２つの傾斜面２２Ｂの内図１２中右側の傾斜面２２Ｂは、リテーナ３の空気吹出口４側に対応している。かかる傾斜面２２Ｂは、後述するように、ダンパプレート７を介してリテーナ３の通風路２を閉塞する際に、リテーナ３の内周壁に弾性接触される。
各平面部２３には、傾斜面２２Ｂに隣接して突状部２３Ａが連続的に形成されている。各突状部２３Ａは、後述するように、通風路２を閉塞する際に空気流による風切音を防止する。
各平面部２３から内側方向に薄肉状の各くびれ部２４を設けることにより、後述するように、軟質シール部材２１がリテーナ３の内周面との弾性接触状態から元の状態に弾性復帰する際の弾性力を弱くすることができ、これにより、軟質シール部材２１の弾性復帰時に異音が発生することを確実に防止することができる。
【００３０】
続いて、前記のように構成されたレジスタ１においてダンパプレート７を介して行われるリテーナ３の通風路２の開閉動作について図１３乃至図１５に基づき説明する。
先ず、レジスタ１におけるリテーナ３の通風路２が開放されている状態においては、ダンパプレート７は、図１、図２、図４、図１３に示すように、通風路２内で水平状態に保持されている。
【００３１】
そして、リテーナ３の通風路を閉塞する場合には、前記したように、図１にてノブ部材１２の回転ノブ部１１を軸部１３の回りに矢印Ａ方向に回動させると、第１連結部１４は矢印Ｂ方向に回動される。また、リンク部材１５は矢印Ｃ方向に移動され、第２連結部１６は矢印Ｄ方向に回動される。この結果、第１回動軸部８は矢印Ｄ方向に回動され、ダンパプレート７も矢印Ｄ方向に回動されてリテーナ３の通風路２を構成する内周壁に当接される。これにより、リテーナ３の通風路２は閉塞される。
【００３２】
このとき、図１３においてダンパプレート７は、矢印Ｅ方向に回動され、この結果、ダンパプレート７にてプレート部材２０の外周に形成された軟質シール部材２１は、図１４に示すように、リテーナ３の内周壁に弾性接触される。
詳細には、図１５に示すように、２つの傾斜面２２Ｂの内図１５中右側の傾斜面２２Ｂは、リテーナ３の空気吹出口４側に対応しており、かかる傾斜面２２Ｂは、ダンパプレート７を介してリテーナ３の通風路２を閉塞する際に、リテーナ３の内周壁に弾性接触される。このように、ダンパプレート７の軟質シール部材２１は、リテーナ３の通風路２における内周壁に弾性接触される傾斜面２２Ｂを有しているので、軟質シール部材２１はかかる傾斜面２２Ｂのみでリテーナ３の通風路２における内周面に弾性接触するだけである。従って、軟質シール部材２１とリテーナ３の内周面との接触面積を少なくすることができ、この結果、軟質シール部材２１がリテーナ３の内周面に弾性接触する際に異音が発生することを防止できる。
【００３３】
また、図１５にて両傾斜面２２Ｂに隣接する各平面部２３には、傾斜面２２Ｂに隣接して突状部２３Ａが連続的に形成されているので、各突状部２３Ａを介して通風路２を閉塞する際に空気流により発生する風切音を防止することができる。
【００３４】
更に、各平面部２３から内側方向に薄肉状の各くびれ部２４を設けているので、軟質シール部材２１がリテーナ３の内周面との弾性接触状態から元の状態に弾性復帰する際の弾性力を弱くすることができる。この結果、軟質シール部材２１の弾性復帰時に異音が発生することを確実に防止することができる。
【００３５】
尚、前記実施形態は本発明の範囲を限定するものではなく、本発明の要旨を逸脱しない範囲内で種々の改良、変形が可能であることは勿論である。
【符号の説明】
【００３６】
１        レジスタ
２        通風路
３        リテーナ
４        空気吹出口
７        ダンパプレート
８        第１回動軸部
９        第２回動軸部
２０      プレート部材
２０Ａ    プレート部
２０Ｂ    凹部
２０Ｃ    第１アンカー部
２０Ｄ    アンカー孔
２１      軟質シール部材
２１Ｃ    第２アンカー部
２１Ｄ    アンカー突起
２１Ｅ    シール部
２２      傾斜部
２２Ｂ    傾斜面
２３Ａ    突状部
２４      くびれ部
【図１】
2017030656.tif 000003
【図２】
2017030656.tif 000004
【図３】
2017030656.tif 000005
【図４】
2017030656.tif 000006
【図５】
2017030656.tif 000007
【図６】
2017030656.tif 000008
【図７】
2017030656.tif 000009
【図８】
2017030656.tif 000010
【図９】
2017030656.tif 000011
【図１０】
2017030656.tif 000012
【図１１】
2017030656.tif 000013
【図１２】
2017030656.tif 000014
【図１３】
2017030656.tif 000015
【図１４】
2017030656.tif 000016
【図１５】
2017030656.tif 000017